(57)【要約】【課題】ガラス管の端内部に水銀が存在することに起因するノイズの発生を防止する。【解決手段】水銀４と反発し合う水銀イオンと帯電序列の近い正の帯電物質９をガラス管１の端内部に塗布する。具体的には、ガラス管１の両端内部に位置する導入線７の表面に物質９を塗布する。また、ビーズ８の内壁面に物質９を塗布する。さらには、ガラス管１の両端部の内壁面や電極３の外表面にも物質９を塗布する。【選択図】図１
2007257856.tif 000002
【特許請求の範囲】
【請求項１】
ガラス管と、
前記ガラス管の内壁面に形成された蛍光体被膜と、
前記ガラス管の両端内部に配置された一対の電極と、
前記ガラス管の内部に封入された水銀及び希ガスと、
前記ガラス管の端内部に塗布された前記水銀と反発し合う物質と、
を有することを特徴とする冷陰極蛍光ランプ。  
【請求項２】
前記物質は、少なくともＹ２Ｏ３、Ｌａ２Ｏ３，Ｉｎ２Ｏ３，Ｅｕ２Ｏ３，Ｔｌ２Ｏ３のうちのいずれかが用いられることを特徴とする請求項１記載の冷陰極蛍光ランプ。
【請求項３】
一端が前記電極に接続された状態で他端が前記ガラス管の端部から外部へ延出された導入線と、
前記導入線を前記ガラス管の端部へ封着したビーズと、をさらに有し、
前記物質は、前記ガラス管の端内部に位置する前記導入線の表面に塗布されることを特徴とする請求項１又は２に記載の冷陰極蛍光ランプ。
【請求項４】
一端が前記電極に接続された状態で他端が前記ガラス管の端部から外部へ延出された導入線と、
前記導入線を前記ガラス管の端部へ封着したビーズと、をさらに有し、
前記物質は、前記ビーズの内壁面に塗布されることを特徴とする請求項１乃至３のいずれかに記載の冷陰極蛍光ランプ。
【請求項５】
前記物質は、前記ガラス管の端部における内壁面に塗布されることを特徴とする請求項１乃至４のいずれかに記載の冷陰極蛍光ランプ。
【請求項６】
前記物質は、前記電極の外表面に塗布されることを特徴とする請求項１乃至５のいずれかに記載の冷陰極蛍光ランプ。
【発明の詳細な説明】
【技術分野】
【０００１】
本発明は、液晶表示装置等の光源として用いられる冷陰極蛍光ランプに関する。
【背景技術】
【０００２】
液晶表示装置のバックライトや一般照明に冷陰極蛍光ランプが使用されている。冷陰極蛍光ランプの基本的な構成は、ガラス管の内壁面に蛍光体被膜を形成するとともに、ガラス管の両端に内側へ納められるように一対の電極を配置し、ガラス管内に水銀と希ガスを封入したものである。
【０００３】
ところが、この水銀が蛍光体被膜に吸着してしまい、蛍光体被膜が劣化するという問題がある。このような蛍光体被膜の劣化を抑制するために、特許文献１においては、帯電序列が近い物質同士は反発し合うことを利用して、水銀イオンと帯電序列が近いＹ２Ｏ３、Ｌａ２Ｏ３といった帯電物質で蛍光体被膜の表面を覆うことで、帯電物質により水銀を反発させ、水銀の蛍光体への吸着を防止する技術が開示されている。
【特許文献１】特開２００５−１１６６５号公報
【発明の開示】
【発明が解決しようとする課題】
【０００４】
しかしながら、特許文献１では、ガラス管の両端内部において水銀が引き起こす問題については何ら考慮されていなかった。ガラス管の端内部に水銀が存在すると、冷陰極蛍光ランプが点灯して数十秒後に温度上昇に伴い、急激に水銀蒸気圧が上昇し、瞬時に電離が行われると同時にノイズが発生し、冷陰極蛍光ランプへの電源供給に用いられるインバータの安全回路が働いて回路動作をシャットダウンさせることがある。このように、ガラス管の端内部に水銀が存在すると、インバータの正常な動作を妨害するおそれがある。
【０００５】
本発明は、上記に鑑みてなされたものであり、その課題とするところは、ガラス管の端内部に水銀が存在することに起因する点灯初期におけるノイズの発生を防止することにある。
【課題を解決するための手段】
【０００６】
本発明に係る冷陰極蛍光ランプは、ガラス管と、前記ガラス管の内壁面に形成された蛍光体被膜と、前記ガラス管の両端内部に配置された一対の電極と、前記ガラス管の内部に封入された水銀及び希ガスと、前記ガラス管の端内部に塗布された前記水銀と反発し合う物質と、を有することを特徴とする。
【０００７】
本発明にあっては、水銀と反発し合う物質をガラス管の両端内部において塗布することで、ガラス管の端部に水銀が堆積することを防ぎ、点灯初期におけるノイズの発生を防止する。また、ガラス管の端内部に存在する水銀は発光に寄与しないため、ガラス管の両端内部に水銀が入り込むことを防ぐことで、全ての水銀をガラス管の蛍光体被膜が形成されている部分に集めて発光に寄与させる。
【０００８】
本発明に係る冷陰極蛍光ランプにおいて、前記物質は、少なくともＹ２Ｏ３、Ｌａ２Ｏ３，Ｉｎ２Ｏ３，Ｅｕ２Ｏ３，Ｔｌ２Ｏ３のうちのいずれかが用いられることを特徴とする。
【０００９】
本発明にあっては、水銀イオンと帯電序列が近い正の帯電物質を用いることで、水銀と反発させる。
【００１０】
本発明に係る冷陰極蛍光ランプは、一端が前記電極に接続された状態で他端が前記ガラス管の端部から外部へ延出された導入線と、前記導入線を前記ガラス管の端部へ封着したビーズと、をさらに有し、前記物質は、前記ガラス管の端内部に位置する前記導入線の表面に塗布されることを特徴とする。
【００１１】
本発明に係る冷陰極蛍光ランプは、一端が前記電極に接続された状態で他端が前記ガラス管の端部から外部へ延出された導入線と、前記導入線を前記ガラス管の端部へ封着したビーズと、をさらに有し、前記物質は、前記ビーズの内壁面に塗布されることを特徴とする。
【００１２】
本発明に係る冷陰極蛍光ランプにおいて、前記物質は、前記ガラス管の端部における内壁面に塗布されることを特徴とする。
【００１３】
本発明に係る冷陰極蛍光ランプにおいて、前記物質は、前記電極の外表面に塗布されることを特徴とする。
【発明の効果】
【００１４】
本発明によれば、ガラス管の端内部に水銀に存在することに起因するノイズの発生を防止することができる。
【発明を実施するための最良の形態】
【００１５】
以下、本発明に係る冷陰極蛍光ランプの実施の形態について図面を用いて説明する。
【００１６】
図１は、第１の冷陰極蛍光ランプの端部の構成を示す断面図である。同図に示すように、本冷陰極蛍光ランプの基本的な構成は、ガラス管１の内壁面に蛍光体被膜２を形成するとともに、ガラス管１の両端に内側へ納められるように一対の電極３を配置し、ガラス管１の内部に水銀４及び希ガス５を封入したものである。さらに、電極３に導入線７の一端が接続された状態で導入線７の他端がガラス管１の端部から外部へ延出され、この導入線７がビーズ８によってガラス管１の端部へ封着される。ガラス管１の他端部も同様に構成される。
【００１７】
本冷陰極蛍光ランプの特徴は、ガラス管１の端内部に、放電中に水銀４と反発し合う物質９を塗布したことにある。この物質には、例えば、Ｙ２Ｏ３、Ｌａ２Ｏ３，Ｉｎ２Ｏ３，Ｅｕ２Ｏ３，Ｔｌ２Ｏ３といった、水銀イオンと帯電序列が近い正の帯電物質を用いる。
【００１８】
帯電物質９の具体的な塗布の位置として、まずガラス管１の端内部に位置する導入線７の表面に帯電物質９を塗布する。また、ビーズ８の内壁面にも帯電物質９を塗布する。
【００１９】
このように、帯電物質９をガラス管１の端内部に塗布することにより、ガラス管１の端部に水銀が入り込むことを防ぎ、ガラス管１の端部で水銀が励起することに起因するノイズの発生を防止する。帯電物質９は、ガラス管の片端内部にだけ塗布することとしてもよいが、両端内部に塗布することで、より効果的にノイズの発生を防止できる。また、ガラス管１の蛍光体被膜２が形成されていない端内部に存在する水銀は発光に寄与しないため、ガラス管１の両端内部に水銀が入り込むことを防ぐことで、全ての水銀をガラス管１の蛍光体被膜２が形成されている部分に集めて発光に寄与させることができる。
【００２０】
次に、様々な変形例について説明する。図２は、第２の冷陰極蛍光ランプの端部の構成を示す断面図である。帯電物質９ａが導入線７及びビーズ８に塗布されている点は図１と同様であるが、図２においては、さらにガラス管１の端部の内壁面にも帯電物質９ｂが塗布されている。帯電物質９ａ，９ｂは、共に水銀イオンと帯電序列が近い正の帯電物質である。ここでは、帯電物質９ａと帯電物質９ｂは、同一物質とする。このように、ガラス管１の端部の内壁面にも帯電物質９ｂを塗布することで、水銀４がガラス管１の端部に入り込むことをより確実に防止することができる。尚、図２において図１と同一物には同一の符号を付すものとし、ここでは重複した説明は省略する。以降の各図の説明についても同様である。
【００２１】
続いて、帯電物質９をガラス管１の端内部の一部にだけ塗布する例について説明する。
【００２２】
図３は、第３の冷陰極蛍光ランプの端部の構成を示す断面図である。同図においては、帯電物質９はガラス管１の端内部における導入線７の表面にだけ塗布されている。
【００２３】
図４は、第４の冷陰極蛍光ランプの端部の構成を示す断面図である。同図においては、帯電物質９はビーズ８の内壁面だけに塗布されている。
【００２４】
このように、帯電物質９をガラス管１の両端内部における一部にだけ塗布した場合にも、水銀４がガラス管１の両端内部に入り込むことを防止することができる。
【００２５】
続いて、帯電物質９を電極３の外表面に塗布する例について説明する。
【００２６】
図５は、第５の冷陰極蛍光ランプの端部の構成を示す断面図である。同図においては、ビーズ８の内壁面、導入線７の表面、電極３の表面の一部に跨って帯電物質９ａが塗布されている。
【００２７】
図６は、第６の冷陰極蛍光ランプの端部の構成を示す断面図である。同図においては、ビーズ８の内壁面、導入線７の表面、電極３の表面に跨って帯電物質９ａが塗布されている。帯電物質９ａが塗布される電極３の表面は、具体的には、ガラス管１の内壁面に対向する位置にある電極３の表面全体である。
【００２８】
図７は、第７の冷陰極蛍光ランプの端部の構成を示す断面図である。ビーズ８の内壁面、導入線７の表面、電極３の表面に跨って帯電物質９ａが塗布されている点は、図６と同様であるが、図７においては、さらに、ガラス管１の端部の内壁面にも帯電物質９ｂが塗布されている。
【００２９】
このように、電極３の外表面に帯電物質９を塗布することによっても、水銀４がガラス管１の端部に入り込むことを防止することができる。
【００３０】
以上、説明したように、本実施の形態によれば、水銀４と反発し合う物質をガラス管１の端内部に塗布することで、ガラス管１の端内部に水銀が堆積することを防ぎ、もってガラス管１の端内部に水銀が存在することに起因する点灯初期におけるノイズの発生を防止することができる。
【００３１】
また、ガラス管１の両端内部への水銀４の入り込みを防ぐことで、全ての水銀４をガラス管１の蛍光体被膜２が形成されている部分に集中させて発光に寄与させることができる。
【００３２】
なお、図５乃至７においては、電極３の外表面以外のビーズ８の内壁面や導入線７の表面にも帯電物質９が塗布された状態を示したが、これに限るものではなく、電極３の外表面にだけ帯電物質９を塗布することとしてもよい。
【００３３】
また、図２、図７においては、ガラス管１の端部の内壁面以外にも帯電物質９が塗布された状態を示したが、これに限るものではなく、ガラス管１の端部の内壁面にだけ帯電物質９を塗布することとしてもよい。
【図面の簡単な説明】
【００３４】
【図１】第１の冷陰極蛍光ランプの端部の構成を示す断面図である。
【図２】第２の冷陰極蛍光ランプの端部の構成を示す断面図である。
【図３】第３の冷陰極蛍光ランプの端部の構成を示す断面図である。
【図４】第４の冷陰極蛍光ランプの端部の構成を示す断面図である。
【図５】第５の冷陰極蛍光ランプの端部の構成を示す断面図である。
【図６】第６の冷陰極蛍光ランプの端部の構成を示す断面図である。
【図７】第７の冷陰極蛍光ランプの端部の構成を示す断面図である。
【符号の説明】
【００３５】
１…ガラス管
２…蛍光体被膜
３…電極
４…水銀
５…希ガス
７…導入線
８…ビーズ
９，９ａ，９ｂ…帯電物質
【図１】
2007257856.tif 000003
【図２】
2007257856.tif 000004
【図３】
2007257856.tif 000005
【図４】
2007257856.tif 000006
【図５】
2007257856.tif 000007
【図６】
2007257856.tif 000008
【図７】
2007257856.tif 000009